(57)【要約】【課題】集合住宅の屋内空間に形成された共用部と住戸部とを区画する区画壁において、耐火性を保ち且つ壁の厚みを抑えつつも、仕上げの選択の自由度が増し共用部に装飾性や意匠性を持たせることができる区画壁を備えた集合住宅を提供する。【解決手段】外周壁２に囲まれた内部空間を住戸部４と共用部３とに区画する区画壁５を有する集合住宅１であって、区画壁５は、第１の面材５１と、第１の下地材５４と、を有する第１壁部５ａと、第１の面材５１に対向する第２の面材５２と、該第２の面材が取り付けられる第２の下地材５５と、を有する第２壁部５ｂと、を備え、第１の下地材５４及び第２の下地材５５は、第１の面材５１と第２の面材５２との間に、互いに離隔した状態で立設されており、第１壁部５ａは、耐火性能を有するとともに、住戸部４側に設けられている、ことを特徴とする。【選択図】図１
2018076759.tif 000002
【特許請求の範囲】
【請求項１】
外周壁に囲まれた内部空間を住戸部と共用部とに区画する区画壁を有する集合住宅であって、
前記区画壁は、
第１の面材と、該第１の面材が取り付けられる第１の下地材と、を有する第１壁部と、
前記第１の面材に対向する第２の面材と、該第２の面材が取り付けられる第２の下地材と、を有する第２壁部と、を備え、
前記第１の下地材及び第２の下地材は、前記第１の面材と前記第２の面材との間に、互いに離隔した状態で立設されており、
前記第１壁部は、耐火性能を有するとともに、住戸部側に設けられている、ことを特徴とする集合住宅。
【請求項２】
前記第１の下地材及び前記第２の下地材は柱状であり、平面視において千鳥状に配置されていることを特徴とする、請求項１に記載した集合住宅。
【請求項３】
前記第１の下地材と前記第２の下地材の間に柔軟性を有する充填材が介在している、請求項１または２に記載した集合住宅。
【請求項４】
前記第１壁部と前記充填材との間に、配線または配管が挿通されている、請求項３に記載した集合住宅。
【請求項５】
外周壁に囲まれた内部空間を住戸部と共用部とに区画する区画壁を有する集合住宅であって、
前記区画壁は、
第１の面材を有する第１壁部と、
前記第１の面材に対向する第２の面材を有する第２壁部と、を備え、
前記第１壁部は、耐火性能を有するとともに、住戸部側に設けられており、
前記第１壁部及び第２壁部には、前記住戸部と前記共用部とを連通する開口部が形成されており、
前記開口部には所定の防火性能を有するドアが設けられており、
前記ドアは前記第１の面材と連続し、且つ、前記ドアの共用部側の面は前記第２壁部の仕上がり面よりも前記住戸部側に後退している、ことを特徴とする集合住宅。
【請求項６】
前記開口部の周囲において、前記第２の面材よりも前記住戸部側に後退した仕上がり面を有する後退壁部が設けられていることを特徴とする、請求項５に記載した集合住宅。
【請求項７】
前記住戸部は、互いに隣接する複数の住戸を備え、
前記隣接する複数の住戸は、前記区画壁を介して前記共用部に隣接するとともに、耐火性能を有する界壁によって互いに区画され、
前記界壁は、前記第１壁部に接続されていることを特徴とする、請求項１〜６の何れかに記載した集合住宅。
【請求項８】
前記共用部は、前記区画壁と連続した前記第１壁部と同一構成を含む壁体が平面視で前記住戸部側に窪んだ凹部を有し、
前記凹部には、メーターが設置されていることを特徴とする、請求項１〜７の何れかに記載した集合住宅。
【請求項９】
前記凹部と前記共用部の他の領域とを区画する開閉自在な扉を備えることを特徴とする、請求項８に記載した集合住宅。
【請求項１０】
前記扉には、前記第２の面材と同一の装飾が施されていることを特徴とする、請求項９に記載した集合住宅。
【発明の詳細な説明】
【技術分野】
【０００１】
本発明は内部空間に共用部を有する集合住宅に関する。
【背景技術】
【０００２】
一般に、建物の内部空間と外部空間とを区画する外周壁には、防水性と耐火性とが求められる。また、特許文献１には、２つの住戸と共用廊下・階段等を含む共用エリアとを備える集合住宅が記載されており、このような形態の集合住宅では、共用エリアが２つの住戸によって囲まれており、更に、最上階を共用エリアも含めて屋根で覆うともに、１階の共用廊下と外部とを水密性を有するドア等で区画することにより、共用エリアを屋内空間とすることができる。
【０００３】
建物内での防火区画としての壁（例えば、１時間耐火試験をクリアしうる間仕切壁）としては、例えば特許文献２に記載のように、鋼製スタッドの両側に複数枚の石膏ボードを貼設したものが一般的である。
【先行技術文献】
【特許文献】
【０００４】
【特許文献１】特開平１１−３３６３５５号公報
【特許文献２】実用新案登録第３１１９０４５号公報
【発明の概要】
【発明が解決しようとする課題】
【０００５】
屋内空間に形成された共用部と住戸部とを区画する区画壁において、その構成を外周壁と同一構成とした場合、すなわち、防水性と耐火性とを有する外装材を共用部側に配置した場合、区画壁が過剰な性能を有することになるとともに、仕上げの選択の自由度が低下し共用部に装飾性や意匠性を持たせにくくなる、という課題がある。また、屋内空間に形成された共用部と住戸部とを区画する区画壁において、特許文献２に記載のような壁を適用した場合、装飾を施す為には、スタッドの厚みと石膏ボードの厚みに加えて、装飾層の厚みと装飾材の下地の厚みが少なくとも必要となって、結果的に全体の壁厚が増し、面積的なロスが大きい。
【０００６】
本発明は、上記課題を解決するためになされたものであり、集合住宅の屋内空間に形成された共用部と住戸部とを区画する区画壁において、耐火性を保ち且つ壁の厚みを抑えつつも、仕上げの選択の自由度が増し共用部に装飾性や意匠性を持たせることができる区画壁を備えた集合住宅を提供することを目的とする。
【課題を解決するための手段】
【０００７】
本発明の第1の態様としての集合住宅は、外周壁に囲まれた内部空間を住戸部と共用部とに区画する区画壁を有する集合住宅であって、前記区画壁は、第１の面材と、該第１の面材が取り付けられる第１の下地材と、を有する第１壁部と、前記第１の面材に対向する第２の面材と、該第２の面材が取り付けられる第２の下地材と、を有する第２壁部と、を備え、前記第１の下地材及び第２の下地材は、前記第１の面材と前記第２の面材との間に、互いに離隔した状態で立設されており、前記第１壁部は、耐火性能を有するとともに、住戸部側に設けられているものである。
【０００８】
本発明のひとつの実施形態として、前記第１の下地材及び前記第２の下地材は柱状であり、平面視において千鳥状に配置されていることが好ましい。
【０００９】
本発明のひとつの実施形態として、前記第１の下地材と前記第２の下地材の間に柔軟性を有する充填材が介在していることが好ましい。
【００１０】
本発明のひとつの実施形態として、前記第１壁部と前記充填材との間に、配線または配管が挿通されていることが好ましい。
【００１１】
本発明の第２の態様としての集合住宅は、外周壁に囲まれた内部空間を住戸部と共用部とに区画する区画壁を有する集合住宅であって、前記区画壁は、第１の面材を有する第１壁部と、
前記第１の面材に対向する第２の面材を有する第２壁部と、を備え、前記第１壁部は、耐火性能を有するとともに、住戸部側に設けられており、前記第１壁部及び第２壁部には、前記住戸部と前記共用部とを連通する開口部が形成されており、前記開口部には所定の防火性能を有するドアが設けられており、前記ドアは前記第１の面材と連続し、且つ、前記ドアの共用部側の面は前記第２壁部の仕上がり面よりも前記住戸部側に後退しているものである。
【００１２】
本発明のひとつの実施形態として、前記開口部の周囲において、前記第２の面材よりも前記住戸部側に後退した仕上がり面を有する後退壁部が設けられていることが好ましい。
【００１３】
本発明のひとつの実施形態として、前記住戸部は、互いに隣接する複数の住戸を備え、
前記隣接する複数の住戸は、前記区画壁を介して前記共用部に隣接するとともに、耐火性能を有する界壁によって互いに区画され、
前記界壁は、前記第１壁部に接続されていることが好ましい。
【００１４】
本発明のひとつの実施形態として、前記共用部は、前記区画壁と連続した前記第１壁部と同一構成を含む壁体が平面視で前記住戸部側に窪んだ凹部を有し、
前記凹部には、メーターが設置されていることが好ましい。
【００１５】
本発明のひとつの実施形態として、前記凹部と前記共用部の他の領域とを区画する開閉自在な扉を備えることが好ましい。
【００１６】
本発明のひとつの実施形態として、前記扉には、前記第２の面材と同一の装飾が施されていることが好ましい。
【発明の効果】
【００１７】
本発明の第１の態様によれば、区画壁では、第１の面材と第１の面材が取り付けられる第１の下地材とを有する第１壁部によって耐火性能（防火区画として必要な第１の下地材側からの加熱にも耐える性能）が担保されているので、第２壁部に耐火性能を持たせる必要がない。従って、第２壁部の面材の選択の自由度が高く、装飾性や意性を持たせることができる。しかも、第１の面材と第１の下地材のみの構成で耐火性能が担保されているので、第１の下地材と第２の下地材との間には他の面材等を介在させる必要がなく、区画壁全体の厚みを小さくすることができる。
【００１８】
本発明の第２の態様によれば、区画壁の防耐火性能の確保の為に、ドアと第１の面材との間に防耐火性を有する部材を介在させる必要がなく、簡易な方法で区画壁におけるドア周辺の防耐火性能を確保することができる。また、区画壁の共用部側壁面に陰影が形成されるとともに、ドアが共用部側から視認しにくくなるので、共用部の高級感や意匠性を高めることができる。
【図面の簡単な説明】
【００１９】
【図１】本発明の一実施形態としての集合住宅の１階平面図である。
【図２】玄関ドアを設けた区画壁の横断面図である。
【図３】玄関ドアを設けた区画壁の縦断面図である。
【図４】玄関ドアを設けた区画壁の他の例であって、（ａ）は横断面図であり、（ｂ）は正面図であり、（ｃ）は縦断面図である。
【図５】玄関ドアを設けた区画壁のさらに他の例であって、（ａ）は横断面図であり、（ｂ）は正面図であり、（ｃ）は縦断面図である。
【図６】玄関ドアを設けた区画壁のさらに他の例であって、（ａ）は横断面図であり、（ｂ）は正面図であり、（ｃ）は縦断面図である。
【図７】玄関ドアを設けた区画壁のさらに他の例であって、（ａ）は横断面図であり、（ｂ）は正面図である。
【図８】（ａ）、（ｂ）は、玄関ドアを設けた区画壁のさらに他の例を示す正面図である。
【図９】玄関ドアを設けた区画壁のさらに他の例であって、（ａ）は横断面図であり、（ｂ）は正面図である。
【図１０】区画壁の横断面図である。
【図１１】界壁と区画壁との接続部を示す横断面図である。
【図１２】区画壁に設けたメーター設置部を示す横断面図である。
【発明を実施するための形態】
【００２０】
以下、本発明の一実施形態について、図面を参照して詳細に説明する。なお、各図において共通の構成には、同一の符号を付している。なお、以下で説明する集合住宅１は複数の階層を有するものであるが、説明の便宜上、特に断りのない限り、代表して１階について例示的に説明する。
【００２１】
図１は、本実施形態としての集合住宅１の１階平面図である。図１に示すように、集合住宅１は、内部空間と屋外空間とを区画する外周壁２を有する。外周壁２は、例えば、表面側に防水層としての塗膜が形成された軽量気泡コンクリート（ＡＬＣ）からなる外装パネル材を連設することにより構成された外部仕上げ層と、例えば、フェノールフォーム等の発泡樹脂系の断熱パネル材を外装仕上げ層の内面に沿って連設することにより構成された断熱層と、石膏ボートと石膏ボード表面に貼設された壁クロス等の仕上げ材とで構成された内部仕上げ層と、を備えたものとすることができるが、特に限定されるものではない。外周壁２は、少なくとも所定の防耐火性能及び防水性能を有するものであればよい。
【００２２】
集合住宅１における外周壁２の内側すなわち内部空間には、共用部３と複数の住戸４ａからなる住戸部４とを備える。共用部３は、共用廊下３３及び各階の共用廊下３３間を連絡する折り返し形式の共用階段３２を備えている。１階の共用廊下３３に面した外周壁２には共用部３と外部空間とを連通する開口部３１が形成され、開口部３１には共用玄関ドア３４が設けられている。最上階の共用部３の上方は屋根で覆われており、これにより、全ての階層の共用部３が外部空間と区画されている。なお、共用部３には、エレベータ等の機械式の昇降手段を設けてもよいし、さらに吹抜けを設けてもよい。
【００２３】
共用部３と住戸部４（各住戸４ａ）とは、区画壁５により区画されている。図２に示すように、区画壁５は住戸部４側に設けられた第１壁部５ａと、共用部３側に設けられた第２壁部５ｂと、を備える。
【００２４】
第１壁部５ａは、略コ字状断面或いは略ロ字状断面の柱状の軽鉄スタッド材からなり所定の間隔で立設された第１の下地材５４と、２枚重ねの強化石膏ボードからなり第１の下地材５４に対してビス等の固定具によって取り付けられた第１の面材５１とを備える。第１の下地材５４は、床面に固定された下部ランナー材と上階の梁もしくは床スラブに固定された上部ランナー材とによって、下端と上端とが位置決めされるとともに互いに連結されている。第１の面材５１を構成する強化石膏ボードは、芯材部分に無機繊維材料を混入することによって耐火性が強化された石膏ボードであり、1枚が２１ｍｍの厚みを有するとともに、隣接する強化石膏ボードとの目地部（接合部）が、内面側と外面側とで重ならないように貼着されている。第１壁部５ａは、建築基準法等の法令等に規定された１時間の耐火性能を有する間仕切壁であり、第１の面材５１側からの１時間の火熱の照射試験に加え、第１の下地材５４側からの火熱の照射試験もクリアするものである。
【００２５】
第２壁部５ｂは、略コ字断面の柱状の軽鉄スタッド材からなり所定の間隔で立設された第２の下地材５５と、２枚重ねの石膏ボードからなり、第２の下地材５５に対してビス等の固定具によって取り付けられた第２の面材５２とを備える。第２の下地材５５は、床面に固定された下部ランナー材と上階の梁もしくは床スラブに固定された上部ランナー材とによって、下端と上端とが位置決めされるとともに互いに連結されている。第２の面材５２を構成する石膏ボードは、１枚が１２．５ｍｍの厚みを有するとともに、隣接する強化石膏ボードとの目地部（接合部）が、内面側と外面側とで重ならないように貼着されている。
【００２６】
このような区画壁５では、第１の面材５１と第１の面材５１が取り付けられる第１の下地材５４とを有する第１壁部５ａによって耐火性能が担保されているので、第２壁部５ｂに耐火性能を持たせる必要がない。従って、第２の面材５２の選択の自由度が高く、装飾性や意匠性を持たせることが容易である。しかも、第１の面材５１と第１の下地材５４のみの構成で耐火性能が担保されているので、第１の下地材５４と第２の下地材５５との間には他の面材等を介在させる必要がなく、区画壁５全体の厚みを小さくすることができる。
【００２７】
また、第１の下地材５４と第２の下地材５５とは、第１の面材５１と第２の面材５２との間に、平面視において略千鳥状に、互いに離隔した状態で立設されている（図１０参照）。第１の下地材５４と第２の下地材５５とが千鳥状に配置されていることで、互いに干渉しにくくなって、第1壁部５ａと第２壁部５ｂとを近接させることができ、区画壁５の厚みを更に小さくすることができる。
【００２８】
また、第１壁部５ａと第２壁部５ｂとの間は、他の面材等の壁の構成部材を有さず、空洞部５６となっている。この空洞部５６には、ロックウール、グラスウール等の柔軟性を有する繊維質素材からなる充填材５３が充填されている。この充填材５３は、耐火性、遮音性、断熱性に優れ、例えば共用部３側からの出火の際に、火熱の第１の下地材５４への到達を遅延させることができ、区画壁５の耐火性を更に高めることができる。また、充填材５３は、共用部３と住戸部４との間の遮音性や住戸部４の温熱環境の向上にも寄与する。更に、第１の下地材５４と第２の下地材５５とが平面視において千鳥状に配置されているので、区画壁５全体の厚みを小さくしても、空洞部５６に狭窄な部位が発生しにくく、充填材５３が押しつぶされることによる性能低下を抑制することができる。
【００２９】
また、充填材５３の充填後の充填材５３と第１の面材５１との間の余剰の空洞部５６を利用して、電力ケーブル、通信ケーブル、ガス管、給水管、給湯管等の、設備・情報関連の配線・配管を通すことが可能である。これにより、共用部３の美観の維持、及び共用部３側からの火熱からの配線・配管の保護が可能である。
【００３０】
第１の面材５１の住戸部４側の面には、ポリエチレン等の防湿フィルムにより防湿層５８が形成されている（図２及び図３の破線参照）。更に、防湿層５８の住戸４ａ側の面には、内装部材としての石膏ボードと石膏ボードの表面に貼設された壁クロスとによって構成された内装仕上げ層５９が形成されている。
【００３１】
第２の面材５２の共用部３側の面には、仕上げ材としての壁クロスが貼設されて仕上げられている。壁クロスは第２の面材５２である石膏ボードとの組み合わせによって、建築基準法等の法令に定められた内装制限規定（壁や天井を準不燃材料もしくはそれ以上の性能を有する材料による仕上げに制限する規定）を満たすものである。なお、第２の面材５２及び仕上げ材の選択にあたっては、仕上げ材単体もしくは第２の面材５２と仕上げ材との組み合わせによって、上述の内装制限規定を満たすものであれば、いかなる材料を用いてもよく、例えば、レンガ、陶磁器質タイル、金属板、ガラス、石材、モルタル、漆喰等を単体、あるいは石膏ボード等を下地として使用することが可能である。また、第２の面材が仕上げ材を兼ねていてもよい。また、表面に凹凸形状や曲面形状等を有する部分を設けることも可能である。このように、第２壁部５ｂは、仕上げ材の選択の自由度や形態の自由度が高いので、共用部３に装飾性・意匠性の高い仕上げを施すことができる。また、第１壁部５ａに手を加えることなく（すなわち区画壁５の耐火性能を維持しつつ）、第２の面材５２や仕上げ材の加工のみで、壁埋め込み型のスイッチ、コンセント、壁付け照明器具等の設置を容易に行うこともできる。
【００３２】
第１壁部５ａ及び第２壁部５ｂを含む区画壁５には、各住戸４ａへの出入り口となる開口部６が形成されており、当該開口部６には、住戸部玄関ドア７が設けられている。住戸部玄関ドア７は、所定の防火性能を有する、いわゆる「防火戸」であり、例えば建築基準法等の法令に規定される特定防火設備を構成するものである。住戸部玄関ドア７は、ドア枠７１と、ドア枠７１に対して蝶番７２を介して取り付けられたドア本体７３とを有する。ドア枠７１は、例えば、鋼板の折り曲げ加工により形成された長尺の中空材料等を矩形枠状に組み合わせて構成されている。ドア本体７３は、例えば、鋼材からなる矩形の枠材７３ａと、鋼板からなり枠材７３ａの両側にそれぞれ固定された２枚の面材７３ｂ、７３ｃを備える。内部の中空部分には、断熱性を高めるための断熱材や剛性を高めるための補強材等を設けることができる。
【００３３】
区画壁５の開口部６において、第1の面材５１を含む第1壁部５ａの開口寸法は第２の面材５２を含む第２壁部５ｂの開口寸法よりも小さい、すなわち、第１の面材５１の端縁が第２の面材の端縁よりも突出している。ドア枠７１は、その住戸部４側の平坦な面が第１の面材５１の開口部６側の端縁部（第２の面材５２よりも突出した部分）における共用部３側の面に当接されて、ビス等の固定具にて固定されている。すなわち、住戸部玄関ドア７は第１の面材５１と連続している。この構成により、区画壁５の防耐火性の確保の為に、住戸部玄関ドア７と第１の面材５１との間に防耐火性を有する部材を介在させる（例えば、第１の面材５１と同等の防耐火性を有する付加面材を住戸部玄関ドア７方向に巻き込むように設ける）必要がなく、簡易な方法で区画壁５の防耐火性を確保することができる。
【００３４】
また、ドア本体７３の共用部３側の面は、区画壁５の共用部３側の仕上がり面である壁クロスの表面（壁クロスの厚みは１ｍｍにも満たず極めて薄いので第２の面材５２の表面にほぼ一致する）よりも住戸部４側に後退して設置されている。より具体的には、ドア本体７３の共用部３側の面は、区画壁５は両面の仕上げも含めた厚み（本実施例では約２２０ｍｍ）の中心位置にほぼ一致しており、区画壁５の共用部側の仕上がり面よりも約１１０ｍｍ後退している。この構成により、区画壁５の共用部３側壁面に陰影が形成されるとともに、ドア枠７１を含む住戸部玄関ドア７全体が共用部３側から視認しにくくなるので、共用部３の高級感や意匠性を高めることができる。
【００３５】
また、区画壁５における開口部６の周縁において、第２の面材５２と同一構成の付加面材（すなわち１２．５ｍｍ厚の２枚重ねの石膏ボード）５２ａが、住戸部玄関ドア７方向に巻き込まれており、第２の面材５２の端縁とドア枠７１との間の隙間が付加面材５２ａによって覆われており、更に、第２の面材５２の仕上げ材（壁クロス）と同一の仕上げ材で仕上げられている。この構成により、共用部３の高級感・意匠性・装飾性を更に高めることができる。なお、付加面材５２ａとしては内装制限規定を満たす範囲内で他の板状部材を用いてもよい。また、付加面材５２ａの部位（共用部壁面の巻き込み部分）には、図４（ａ）〜（ｃ）に示すように、ダウンライト等の埋め込み照明器具８を設けることが可能である。なお、図２〜９において符号７１ａで示すものはドア枠７１の見付け面である。
【００３６】
本実施形態では、付加面材５２ａと第２の面材５２とが断面視で９０度をなすものであるが、付加面材５２ａの形態は、図５（ａ）〜（ｃ）に示すようなものであってもよい。すなわち、区画壁５に設けられた開口部６において第２壁部５ｂ（第２の面材５２）開口寸法を更に大きくし、付加面材５２ａを、第２の面材５２とのなす角度が鈍角（例えば１３５度）となるように（すなわち、共用部玄関ドア７から共用部３方向に向かうほど間口寸法または高さ寸法が徐々に大きくなるように）、且つドア枠７１と第２の面材５２との間の空隙を塞ぐように取り付けてもよい。この構成は、ドア枠７１における左右の縦枠側のみならず、上枠側にも適用することができ、また、夫々の方向について付加面材５２ａと第２の面材５２のなす角度を９０以上１８０度未満の任意の角度とすることができ、例えば、上枠側のみ角度を変えたり、左右非対称としたりすることも可能である。また、本形態は、住戸部玄関ドア７部分のみならず、後述する後退壁部９を含む領域の周縁に採用することもできる。このように、付加面材５２ａと第２の面材５２とのなす角度が断面視で鈍角となる部位を設けることにより、共用部３に新奇性を持たせることができる。また、例えば、本構成を住戸部玄関ドア７の吊元側に適用することによって、ドア本体７３を大きく開くことができ、人の出入りや荷物の出し入れの際の利便性を向上させることができる。
【００３７】
また、図６（ａ）〜（ｃ）に示すように、付加面材５２ａを複数段階に鉤状に（共用部玄関ドア７から共用部３方向に向かうほど間口寸法または高さ寸法が段階的に大きくなるように）屈曲するように形成されていてもよい。本例についても、図５に示す例と同様の作用効果が発揮され、多様な組み合わせも可能である。
【００３８】
住戸部玄関ドア７（開口部６）に隣接する位置には、図７〜９に示すように、後退壁部９を設けることができる。後退壁部９は、第２壁部５ｂが部分的に取り除かれた領域に設けられており、第２壁部５ｂに比べてより薄い或いはより第１壁部５ａに接近し面材によって、第１壁部５ａの第1の下地材側の面を覆うように構成されている。後退壁部９の表面は、区画壁５の共用部３側の表面よりも、住戸４ａ側であって、住戸部玄関ドア７のドア本体７３の表面にほぼ揃っている。後退壁部９には、例えば、表札、ポスト、インターホン玄関子機、傘立て、または照明器具等を設けることができる。なお、後退壁部９は、住戸部玄関ドア７の左右両側に設けることや上枠側に設けることもできる。これらの組み合わせによって、正面視略鉤形状あるいは門形状とすることもできる。後退壁部９に上記の表札等を設けることで、共用部３側に当該表札等が突出し難くなるため、共用部３を通行する居住者等の通行を妨げ難くすることができる。また、ドア本体７３が開く側（吊元と反対側）に後退壁部９を設けることで、共用部３側からドア本体７３を開いた際に身体を退避させる空間が広がり、住戸４ａへの出入りがしやすくなる。また、後退壁部９の表面は、住戸部玄関ドア７と同一の仕上げを施すことが可能であり、この場合、住戸部玄関ドア７との外観上の一体感を高めることができる。
【００３９】
ここで、図１１は、界壁１０と区画壁５との接続部を示す横断面図である。界壁１０は、互いに隣接する複数の住戸４ａ間での延焼を防ぐことを目的として、隣接する住戸４ａ間の境界に設けられる壁であり、間仕切壁として建築基準法等の法令で規定された所定の耐火性能（例えば１時間の耐火性能）を有する。すなわち、一方の住戸４ａ側からの１時間の火熱の照射試験に加え、他方の住戸４ａ側からの火熱の照射試験もクリアするものである。界壁１０は、１対の面材１０ａと、面材１０ａを固定する為の下地となる下地材１０ｂとからなる。面材１０ａは、例えば厚さ９ｍｍの石膏ボードを２枚重ねして構成されている。また、下地材１０ｂは、例えば面材１０ａの延在方向に沿って所定の間隔で立設された軽鉄スタッド材からなる。下地材１０ｂは１対の面材１０ａの夫々に対して設けられており、下地材１０ｂ同士は離隔している。また、界壁１０内の空洞部には、ロックウール等の遮音性を有する充填材５３が充填されている。
【００４０】
界壁１０は、一方の端部において区画壁５の第１壁部５ａの第１の面材５１に接続されている。区画壁５では、前述の通り、所定の耐火性能を有する第１壁部５ａが住戸部４側に形成されているので、界壁１０の端面を第１壁部５ａの第１の面材５１の表面に当接するという簡易な方法によって、界壁１０と区画壁５との接続部分における耐火性能が確保されるので、施工性が高い。
【００４１】
ここで、図１２に示すように、共用部３には、区画壁５と連続した第１壁部５ａと同一構成を含む壁体が平面視で住戸部４側に窪んだ凹部３ａを設けてもよい。具体的には、区画壁５が住戸部４側に部分的に窪んでいるように屈曲されて、共用部３に凹部３ａが形成されている。この凹部３ａには、同一階の住戸４ａのガス等のメーターが集中的に設置されており、メーター設置部ＭＳとして利用がなされている。メーター設置部ＭＳにおいて第２壁部５ｂを構成する第２面材５２は、内側に設けられた合板と外側に設けられた石膏ボードとによって構成されている。なお合板は、メーターをビス等の締結手段で第２壁部５ｂに固定する際の下地として機能する。
【００４２】
メーター設置部ＭＳとして利用されている凹部３ａの開口部には、その周囲の第２壁部５ｂに沿って、メーター、配管等を覆い隠す為の扉３ｂが開閉自在に設けられている。扉３ｂは、扉枠３ｂ１と扉枠３ｂ１に蝶番（不図示）を介して取り付けられた扉本体３ｂ２により構成されている。扉３ｂの表面には、その周囲の第２壁部５ｂの第２の面材５２と同一の装飾及び仕上げが施されている。また、扉枠３ｂ１が分断された５ｂを構成する第２面材５２の端面に当接するように設置されることによって、扉３ｂの共用部３側への突出が抑えられ、扉３ｂの仕上がり面は第２壁部５ｂの仕上がり面と略同一となっている。
【００４３】
扉３ｂは、所定の防水性を有する外周壁２の内部に設けられているので、区画壁５と同様に、外周壁２のような防水性を持たせる必要がない。また、共用部３と住戸部４との間の防火区画は、所定の耐火性能を有する第１壁部５ａによって確保されているので、扉３ｂには第２壁部２ｂと同様に防耐火性を持たせる必要がない。従って、第２壁部５ｂと同様に、扉３ｂの材質や仕上げの選択の自由度が高く、共用部３の意匠性や装飾性を向上させることが比較的容易にできる。なお、凹部３ａは、隣接する２つの住戸４ａに跨るように設けてもよい。
【００４４】
本発明に係る集合住宅は、上述した実施形態の構成に限定されるものではなく、特許請求の範囲で記載された内容を逸脱しない範囲で、様々な構成により実現することが可能である。例えば、第１の面材として、２枚重ねの強化石膏ボードにかえて、厚さ５０ｍｍ以下の軽量気泡コンクリート（ＡＬＣ）パネルを用いてもよい。
【００４５】
また、先の実施形態の集合住宅１の各階には、住戸４ａが３つ設けられているが、この住戸４ａの数は、１以上の任意の数とすることができる。また、間取りも特に限定されるものではなく、敷地の形態、法規制等の与条件に応じて適宜設計することができる。
【符号の説明】
【００４６】
１      集合住宅
２      外周壁
３      共用部
３ａ    凹部
３ｂ    扉
４      住戸部
４ａ    住戸
５      区画壁
５ａ    第１壁部
５ｂ    第２壁部
６      開口部
７      住戸部玄関ドア
８      照明器具
９      後退壁部
１０    界壁
３１    開口部
３２    共用階段
３３    共用廊下
３４    共用部
５１    第１の面材
５２    第２の面材
５２ａ  付加面材
５３    充填材
５４    第１の下地材
５５    第２の下地材
５６    空洞部
５７    梁
５８    防湿層
５９    内装仕上げ層
７１    ドア枠
７１ａ  ドア枠の見付け面
７２    蝶番
７３    ドア本体
７３ａ  枠材
７３ｂ  面材
７３ｃ  面材
ＭＳ    メーター設置部
【図１】
2018076759.tif 000003
【図２】
2018076759.tif 000004
【図３】
2018076759.tif 000005
【図４】
2018076759.tif 000006
【図５】
2018076759.tif 000007
【図６】
2018076759.tif 000008
【図７】
2018076759.tif 000009
【図８】
2018076759.tif 000010
【図９】
2018076759.tif 000011
【図１０】
2018076759.tif 000012
【図１１】
2018076759.tif 000013
【図１２】
2018076759.tif 000014